(57)【要約】【課題】  安価且つ簡単な構造でトレイの振動を確実に吸収すること。【解決手段】  トレイ３の後部下面にほぼ前後進ａ，ｂ方向に沿って弾性変位可能な帯板２５Ａが一体突設されると共に、該帯板２５Ａの後部が後進ｂ側に向かって側方に若干傾斜する傾斜板部２５ａとされ、その帯板２５Ａに対向してローダーシャーシ２の受台２ｃに横揺れ防止ピン２５Ｂが突設され、ローダーシャーシ２の後部上面を覆う遮蔽板１５が設けられ、該遮蔽板１５の後端縁に、斜め下向きに延びてトレイ３の後端縁３ａに対向する弾性変位可能な押さえ板２６Ａが一体突設されており、トレイ３を最後進ｂさせることにより、帯板２５Ａの傾斜板部２５ａを横揺れ防止ピン２５Ｂに接触させると共に、該トレイ３の後端縁３ａを押さえ板２６Ａに接触させる。【選択図】        図４  
2005332535.tif 000002
【特許請求の範囲】
【請求項１】
ローダーシャーシの両側壁の内側に受台が形成され、該受台上に突設した左右一対のガイド部材にトレイが前後進可能に係合され、前記トレイの両側部に対向してローダーシャーシの両側壁の内周面にトレイ浮き上がり防止片が一体突設され、前記トレイの両側部に対向して受台上に左右一対の板ばねが固定され、該トレイの下方にターンテーブルと光ピックアップとが設けられており、トレイを最後進させることにより、板ばねの付勢力でトレイをトレイ浮き上がり防止片に押し付け、その後、トレイ上のディスクをターンテーブルで持ち上げ、そのターンテーブルによりディスクを高速回転させ、該ディスクに記録されている情報を光ピックアップにより読み取るようにしたディスク装置において、前記両板ばねを省略し、前記トレイの後部下面にほぼ前後進方向に沿って弾性変位可能な帯板が一体突設されると共に、該帯板の後部が後進側に向かって側方に若干傾斜する傾斜板部とされ、その帯板に対向して受台に横揺れ防止ピンが突設され、前記ローダーシャーシの後部上面を覆う遮蔽板が設けられ、該遮蔽板の後端縁に、斜め下向きに延びてトレイの後端縁に対向する弾性変位可能な押さえ板が一体突設されており、前記トレイを最後進させることにより、帯板の傾斜板部を横揺れ防止ピンに接触させると共に、トレイの後端縁を押さえ板に接触させるように形成し、前記ローダーシャーシの側部に設けた制御機器用入力コネクタをローダーシャーシの後方に設けた電源用コネクタにつなぐリード線と、ローダーシャーシの後部に設けた制御機器用出力コネクタをローダーシャーシの側方に設けた情報処理機器用コネクタつなぐケーブルとを係止するための係止片が前記遮蔽板の上面に一体突設され、前記遮蔽板の下面両側縁で前後進方向に所定間隔をおいて４本の脚部が一体突設され、その前側２本の脚部が前進側へ外広がり状に若干傾斜されてその先端に前進側に突出するフック部が一体形成され、その後側２本の脚部が後進側へ外広がり状に若干傾斜されてその先端に後進側に突出するフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定するようにしたことを特徴とするディスク装置。
【請求項２】
ローダーシャーシの両側壁の内側に受台が形成され、該受台上に突設した左右一対のガイド部材にトレイが前後進可能に係合され、前記トレイの両側部に対向してローダーシャーシの両側壁の内周面にトレイ浮き上がり防止片が一体突設され、前記トレイの下方にターンテーブルと光ピックアップとが設けられており、トレイを最後進させた後、該トレイ上のディスクをターンテーブルで持ち上げ、そのターンテーブルによりディスクを高速回転させ、該ディスクに記録されている情報を光ピックアップにより読み取るようにしたディスク装置において、前記トレイの後部下面にほぼ前後進方向に沿って弾性変位可能な帯板が一体突設されると共に、該帯板の後部が後進側に向かって側方に若干傾斜する傾斜板部とされ、その帯板に対向して受台に横揺れ防止ピンが突設され、前記ローダーシャーシの後部上面を覆う遮蔽板が設けられ、該遮蔽板の後端縁に、斜め下向きに延びてトレイの後端縁に対向する弾性変位可能な押さえ板が一体突設されており、前記トレイを最後進させることにより、帯板の傾斜板部を横揺れ防止ピンに接触させると共に、該トレイの後端縁を押さえ板に接触させるようにしたことを特徴とするディスク装置。    
【請求項３】
前記押さえ板が所定間隔をおいて左右一対設けられていることを特徴とする請求項２に記載のディスク装置。    
【請求項４】
前記ローダーシャーシの後端縁に、該ローダーシャーシの中央部側に向けて斜め後方に延びてトレイの後端縁に対向する弾性変位可能な横揺れ防止板が一体突設されており、前記トレイを最後進させることにより、該トレイの後端縁を横揺れ防止板に接触させるようにしたことを特徴とする請求項２または３に記載のディスク装置。    
【請求項５】
前記ローダーシャーシの側部に設けた制御機器用入力コネクタをローダーシャーシの後方に設けた電源用コネクタにつなぐリード線と、ローダーシャーシの後部に設けた制御機器用出力コネクタをローダーシャーシの側方に設けた情報処理機器用コネクタつなぐケーブルとを係止するための係止片が前記遮蔽板の上面に一体突設されていることを特徴とする請求項２〜４のいずれかに記載のディスク装置。    
【請求項６】
前記遮蔽板の下面両側縁で前後進方向に所定間隔をおいて４本の脚部が一体突設され、その前側２本の脚部が前進側へ外広がり状に若干傾斜されてその先端に前進側に突出するフック部が一体形成され、その後側２本の脚部が後進側へ外広がり状に若干傾斜されてその先端に後進側に突出するフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定するようにしたことを特徴とする請求項２〜５のいずれかに記載のディスク装置。
【発明の詳細な説明】
【技術分野】
【０００１】
本発明は、例えばＤＶＤなどのディスクの再生や録画または消去を行うためのディスク装置に関し、特に、ディスクの高速回転中にトレイの振動を吸収するようにしたしたものである。
【背景技術】
【０００２】
従来、ディスク装置として図１２に示すものがある。これは、ＤＶＤ型ディスク装置であって、外装ケーシング１内のほぼ中央部に合成樹脂製ローダーシャーシ２が固定され、該ローダーシャーシ２の両側壁２ａの内側に受台２ｃが形成され、該受台２ｃ上に突設した左右一対のガイド部材２ｄにトレイ３が前後進ａ，ｂに係合され（図１３参照）、該トレイ３の両側部に対向してローダーシャーシ２の両側壁２ａの内周面に複数のトレイ浮き上がり防止片２ｂが一体突設され、トレイ３に対向して外装ケーシング１の前面パネルに開口部１ａが形成され、前記トレイ３の下方の上下動可能なドライブシャーシ（図示せず）にターンテーブル４と光ピックアップ５とが設けられ、ローダーシャーシ２の側部に設けた制御機器用入力コネクタ６がリード線７を介してローダーシャーシ２の後方のＡＶ基板８上に設けた電源用コネクタ９に接続され、ローダーシャーシ２の後部に設けた制御機器用出力コネクタ１０がケーブル１１を介してローダーシャーシ２の側方のバックエンド基板１２上に設けた映像機器用コネクタ（情報処理機器用コネクタ）１３に接続されている。
【０００３】
上記構成において、電源をリード線７を介して制御機器（図示せず）に接続し、該制御機器の駆動制御により、ドライブシャーシを上動させてトレイ３上のディスクＤをターンテーブル４で持ち上げ、該ターンテーブル４によりディスクＤを高速回転させ、該ディスクＤに記録されている情報を光ピックアップ５により読み取り、その読み取った情報信号をケーブル１１を介して映像機器に伝達し、これによって、モニターに映像を再生したり録画したり消去する。
【０００４】
上記構成によれば、ディスクＤを高速回転させることにより生じた振動がトレイ３に伝達され、該トレイ３が上下左右に振動して不快な騒音を発生させるという難点がある。
【０００５】
上記難点を解消する技術として特許文献１に記載したものがある。これは、図１３に示すように、トレイ３の両側部に対向して受台２ｃ上に左右一対の板ばね２３が固定されており、図１３に実線で示すように、トレイ３を最後進ｂさせることにより、板ばね２３の円弧部２３ａをトレイ３の下面に接触させ、その付勢力でトレイ３をトレイ浮き上がり防止片２ｂに押し付けて、該トレイ３の振動を吸収する。    
【特許文献１】特開平１１−３３９３５０号公報
【発明の開示】
【発明が解決しようとする課題】
【０００６】
上記従来の構成では、左右一対の板ばね２３でトレイ３の振動を吸収するようになっており、これでは、両板ばね２３を用いている分だけ部品点数が多くなり、その両板ばね２３の固定作業に手間と時間とがかかって、製作費が高くつく。
【０００７】
本発明は、上記従来の欠点に鑑み、安価且つ簡単な構造でトレイの振動を確実に吸収するようにしたディスク装置を提供することを目的としている。
【課題を解決するための手段】
【０００８】
上記目的を達成するため、請求項１に記載の発明は、ローダーシャーシの両側壁の内側に受台が形成され、該受台上に突設した左右一対のガイド部材にトレイが前後進可能に係合され、前記トレイの両側部に対向してローダーシャーシの両側壁の内周面にトレイ浮き上がり防止片が一体突設され、前記トレイの両側部に対向して受台上に左右一対の板ばねが固定され、該トレイの下方にターンテーブルと光ピックアップとが設けられており、トレイを最後進させることにより、板ばねの付勢力でトレイをトレイ浮き上がり防止片に押し付け、その後、トレイ上のディスクをターンテーブルで持ち上げ、そのターンテーブルによりディスクを高速回転させ、該ディスクに記録されている情報を光ピックアップにより読み取るようにしたディスク装置において、前記両板ばねを省略し、前記トレイの後部下面にほぼ前後進方向に沿って弾性変位可能な帯板が一体突設されると共に、該帯板の後部が後進側に向かって側方に若干傾斜する傾斜板部とされ、その帯板に対向して受台に横揺れ防止ピンが突設され、前記ローダーシャーシの後部上面を覆う遮蔽板が設けられ、該遮蔽板の後端縁に、斜め下向きに延びてトレイの後端縁に対向する弾性変位可能な押さえ板が一体突設されており、前記トレイを最後進させることにより、帯板の傾斜板部を横揺れ防止ピンに接触させると共に、トレイの後端縁を押さえ板に接触させるように形成し、前記ローダーシャーシの側部に設けた制御機器用入力コネクタをローダーシャーシの後方に設けた電源用コネクタにつなぐリード線と、ローダーシャーシの後部に設けた制御機器用出力コネクタをローダーシャーシの側方に設けた情報処理機器用コネクタつなぐケーブルとを係止するための係止片が前記遮蔽板の上面に一体突設され、前記遮蔽板の下面両側縁で前後進方向に所定間隔をおいて４本の脚部が一体突設され、その前側２本の脚部が前進側へ外広がり状に若干傾斜されてその先端に前進側に突出するフック部が一体形成され、その後側２本の脚部が後進側へ外広がり状に若干傾斜されてその先端に後進側に突出するフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定するようにしたことを特徴としている。
【０００９】
請求項２に記載の発明は、ローダーシャーシの両側壁の内側に受台が形成され、該受台上に突設した左右一対のガイド部材にトレイが前後進可能に係合され、前記トレイの両側部に対向してローダーシャーシの両側壁の内周面にトレイ浮き上がり防止片が一体突設され、前記トレイの下方にターンテーブルと光ピックアップとが設けられており、トレイを最後進させた後、該トレイ上のディスクをターンテーブルで持ち上げ、そのターンテーブルによりディスクを高速回転させ、該ディスクに記録されている情報を光ピックアップにより読み取るようにしたディスク装置において、前記トレイの後部下面にほぼ前後進方向に沿って弾性変位可能な帯板が一体突設されると共に、該帯板の後部が後進側に向かって側方に若干傾斜する傾斜板部とされ、その帯板に対向して受台に横揺れ防止ピンが突設され、前記ローダーシャーシの後部上面を覆う遮蔽板が設けられ、該遮蔽板の後端縁に、斜め下向きに延びてトレイの後端縁に対向する弾性変位可能な押さえ板が一体突設されており、前記トレイを最後進させることにより、帯板の傾斜板部を横揺れ防止ピンに接触させると共に、該トレイの後端縁を押さえ板に接触させるようにしたことを特徴としている。
【００１０】
請求項３に記載の発明は、請求項２に記載の発明において、前記押さえ板が所定間隔をおいて左右一対設けられていることを特徴としている。
【００１１】
請求項４に記載の発明は、請求項２または３に記載の発明において、前記ローダーシャーシの後端縁に、該ローダーシャーシの中央部側に向けて斜め後方に延びてトレイの後端縁に対向する弾性変位可能な横揺れ防止板が一体突設されており、前記トレイを最後進させることにより、該トレイの後端縁を横揺れ防止板に接触させるようにしたことを特徴としている。
【００１２】
請求項５に記載の発明は、請求項２〜４のいずれかに記載の発明において、前記ローダーシャーシの側部に設けた制御機器用入力コネクタをローダーシャーシの後方に設けた電源用コネクタにつなぐリード線と、ローダーシャーシの後部に設けた制御機器用出力コネクタをローダーシャーシの側方に設けた情報処理機器用コネクタつなぐケーブルとを係止するための係止片が前記遮蔽板の上面に一体突設されていることを特徴としている。
【００１３】
請求項６に記載の発明は、請求項２〜５のいずれかに記載の発明において、前記遮蔽板の下面両側縁で前後進方向に所定間隔をおいて４本の脚部が一体突設され、その前側２本の脚部が前進側へ外広がり状に若干傾斜されてその先端に前進側に突出するフック部が一体形成され、その後側２本の脚部が後進側へ外広がり状に若干傾斜されてその先端に後進側に突出するフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定するようにしたことを特徴としている。
【発明の効果】
【００１４】
請求項１に記載の発明は、第１の実施の形態（図１〜図９参照）に対応するものであって、これによれば、ディスクを高速回転させることにより生じた振動がトレイに伝達されて、該トレイが上下左右に振動しようとするが、このとき、トレイの後部下面に一体突設した弾性変位可能な帯板の傾斜板部をローダーシャーシの受台上に突設した横揺れ防止ピンに接触させているので、トレイの横揺れが阻止されると共に、トレイの後端縁をローダーシャーシ上の遮蔽板に一体突設した弾性変位可能な押さえ板に接触させているので、トレイの縦揺れも阻止され、これによって、トレイの振動を確実に吸収して、静音化に優れたディスク装置を提供することができる。
【００１５】
リード線及びケーブルを遮蔽板及び各係止片を利用してローダーシャーシの上方を通って最短距離で配線しているから、その配線によってトレイの前後進を阻害することがなく、そのリード線及びケーブルとして従来に比べて短尺なものを用いることにより、その短尺にした分だけコストダウンを図ることができると共に、短尺にしたリード線及びケーブルにノイズが乗り移ることがほとんど無くなり、録画再生機能を大幅に改善できる。
【００１６】
また、前側２本の脚部に一体形成したフック部が前進側に向かって突出されると共に、その後側２本の脚部に一体形成したフック部が後進側に向かって突出されており、前後進方向に沿って対向するフック部間の間隔を広くとっているから、遮蔽板をローダーシャーシに安定して一層確実に固定できる。
【００１７】
更に、各脚部が外広がり状に若干傾斜されているから、その各脚部を各縦溝の内側面に圧接させて、遮蔽板をターンテーブルや光ピックアップなどの駆動により不測に振動しないようにローダーシャーシに一体的に固定できる。
【００１８】
しかも、押さえ板がリード線及びケーブルを配線するための遮蔽板に一体突設されているから、その押さえ板を追加することによって部品点数が増加せず、従来の板ばねを用いる場合に比べて製作費を安くすることができる。
【００１９】
請求項２に記載の発明は、基本形態を示すものであって、これによれば、ディスクを高速回転させることにより生じた振動がトレイに伝達されて、該トレイが上下左右に振動しようとするが、このとき、トレイの後部下面に一体突設した弾性変位可能な帯板の傾斜板部をローダーシャーシの受台上に突設した横揺れ防止ピンに接触させているので、トレイの横揺れが阻止されると共に、トレイの後端縁をローダーシャーシ上の遮蔽板に一体突設した弾性変位可能な押さえ板に接触させているので、トレイの縦揺れも阻止され、これによって、トレイの振動を確実に吸収して、静音化に優れたディスク装置を提供することができる。
【００２０】
請求項３に記載の発明によれば、所定間隔をおいて左右一対設けた押さえ板にトレイの両側部後端縁を接触させることによって、該トレイの縦揺れを一層確実に阻止することができる。
【００２１】
請求項４に記載の発明によれば、トレイの後端縁をローダーシャーシの後端縁に一体突設した横揺れ防止板に接触させることによって、該トレイの横揺れを一層確実に阻止することができる。
【００２２】
請求項５に記載の発明によれば、リード線及びケーブルを遮蔽板及び各係止片を利用してローダーシャーシの上方を通って最短距離で配線しているから、その配線によってトレイの前後進を阻害することがなく、そのリード線及びケーブルとして従来に比べて短尺なものを用いることにより、その短尺にした分だけコストダウンを図ることができると共に、短尺にしたリード線及びケーブルにノイズが乗り移ることがほとんど無くなり、録画再生機能を大幅に改善できる。
【００２３】
請求項６に記載の発明によれば、前記遮蔽板に突設した４本の脚部をローダーシャーシの各縦溝に挿入するだけで、該遮蔽板をローダーシャーシに前後進方向及び該前後進方向とは直交する左右方向に沿って不測に動かないように係止できると共に、各脚部の先端に突設したフック部を各縦溝に連通する横溝に係合させることにより、遮蔽板が不測に浮き上がってローダーシャーシから外れないように確実に固定できる。
【００２４】
また、前側２本の脚部に一体形成したフック部が前進側に向かって突出されると共に、その後側２本の脚部に一体形成したフック部が後進側に向かって突出されており、前後進方向に沿って対向するフック部間の間隔を広くとっているから、遮蔽板をローダーシャーシに安定して一層確実に固定できる。
【００２５】
更に、各脚部が外広がり状に若干傾斜されているから、その各脚部を各縦溝の内側面に圧接させて、遮蔽板をターンテーブルや光ピックアップなどの駆動により不測に振動しないようにローダーシャーシに一体的に固定できる。
【００２６】
しかも、押さえ板がリード線及びケーブルを配線するための遮蔽板に一体突設されているから、その押さえ板を追加することによって部品点数が増加せず、製作費を安くすることができる。
【発明を実施するための最良の形態】
【００２７】
図１〜図５は本発明の第１の実施の形態であるＤＶＤ型ディスク装置を示すものであって、ローダーシャーシ２の後部上面を覆う合成樹脂製遮蔽板１５が設けられると共に、該遮蔽板１５の上面に前記リード線７及びケーブル１１を係止するための複数の係止片１６Ａと補強枠１６Ｂとが一体突設され、横揺れ防止機構２５と縦揺れ防止機構２６とが設けられている。なお、図２中、１４はローダーシャーシ２内の下部に係止したプリント基板であって、その上に制御機器用の入力コネクタ６と出力コネクタ１０とが配置されている。上記以外の構成は図１２及び図１３に示す構成をほぼ同じであるから、同一部分に同一符号を付してその説明を省略する。
【００２８】
前記遮蔽板１５は、矩形板材からなり、その下面両側縁で前後進ａ，ｂ方向に所定間隔をおいて４本の脚部１５Ａ〜１５Ｄが一体突設され、その前側２本の脚部１５Ａ，１５Ｂの先端から前進側に向かってフック部１５ａが一体形成されると共に、その後側２本の脚部１５Ｃ，１５Ｄの先端から後進側に向かってフック部１５ａが一体形成され、図６（ａ）に示すように、前側２本の脚部１５Ａ，１５Ｂが前進側へ所定角度α（例えば１〜５°）外広がり状に若干傾斜されると共に、後側２本の脚部１５Ｃ，１５Ｄが後進側へ所定角度α（例えば１〜５°）外広がり状に若干傾斜されている。
【００２９】
図６及び図７に示すように、ローダーシャーシ２の両側壁２ａの後部外周面に前記各脚部１５Ａ〜１５Ｄを挿入するための縦溝１７が形成されると共に、該各縦溝１７に連通して前記各フック部１５ａを係脱可能に係合させるための横溝１８が形成されている。なお、図６（ａ）に示すように、遮蔽板１５の両側縁に位置決め孔１９が貫設されると共に、貝各位置決め孔１９に対向してローダーシャーシ２の両側壁２ａの上面に位置決め突起２０が一体突設されている。
【００３０】
組立手順を説明すると、図６（ａ）及び図７（ａ）に示すように、遮蔽板１５を把持してローダーシャーシ２の後部上方から下降させることにより、図６（ｂ）及び図７（ｂ）に示すように、各脚部１５Ａ〜１５Ｄを各縦溝１７内に挿入して、その前側２本の脚部１５Ａ，１５Ｂの前面１５ｂを前側縦溝１７の前側内側面１７ａに圧接させると共に、その後側２本の脚部１５Ｃ，１５Ｄの後面１５ｃを後側縦溝１７の後側内側面１７ｂに圧接させ、位置決め孔１９を位置決め突起２０に嵌合させ、各フック部１５ａを各横溝１８に嵌入させ、該各フック部１５ａを各内側面１７ａ，１７ｂの下端角部２１に係合させる。
【００３１】
続いて、図１に示すように、入力コネクタ６に一端部を接続したリード線７を遮蔽板１５上に回して係止片１６Ａに係止した後、該リード線７の他端部を電源用コネクタ９に接続し、出力コネクタ１０に一端部を接続したケーブル１１を遮蔽板１５上に回して係止片１６Ａに係止した後、該ケーブル１１の他端部を映像機器用コネクタ１３に接続する。
【００３２】
上記構成によれば、リード線７及びケーブル１１を遮蔽板１５及び各係止片１６Ａを利用してローダーシャーシ２の上方を通って最短距離で配線しているから、その配線によってトレイ３の前後進ａ，ｂを阻害することがなく、そのリード線７及びケーブル１１として従来に比べて短尺なものを用いることにより、その短尺にした分だけコストダウンを図ることができると共に、短尺にしたリード線７及びケーブル１１にノイズが乗り移ることがほとんど無くなり、録画再生機能を大幅に改善できる。
【００３３】
前記遮蔽板１５に突設した４本の脚部１５Ａ〜１５Ｄをローダーシャーシ２の各縦溝１７に挿入するだけで、該遮蔽板１５をローダーシャーシ２に前後進ａ，ｂ方向及び該前後進ａ，ｂ方向とは直交する左右方向ｃ，ｄに沿って不測に動かないように係止できると共に、各脚部１５Ａ〜１５Ｄの先端に突設したフック部１５ａを各横溝１８に係合させることにより、遮蔽板１５が不測に浮き上がってローダーシャーシ２から外れないように確実に固定できる。
【００３４】
また、前側２本の脚部１５Ａ，１５Ｂに一体形成したフック部１５ａが前進ａ側に向かって突出されると共に、その後側２本の脚部１５Ｃ，１５Ｄに一体形成したフック部１５ａが後進ｂ側に向かって突出されており、前後進ａ，ｂ方向に沿って対向するフック部１５ａ間の間隔Ｌ〔図６（ａ）参照〕を広くとっているから、遮蔽板１５をローダーシャーシ２に安定して一層確実に固定できる。
【００３５】
更に、図６（ａ）に示すように、各脚部１５Ａ〜１５Ｄが外広がり状に若干傾斜されているから、その各脚部１５Ａ〜１５Ｄを各縦溝１７の内側面１７ａ，１７ｂに圧接させて、遮蔽板１５をターンテーブル４や光ピックアップ５などの駆動により不測に振動しないようにローダーシャーシ２に一体的に固定できる。
【００３６】
前記横揺れ防止機構２５は、図５及び図８に示すように、トレイ３の後部下面にほぼ前後進ａ，ｂ方向に沿って一体突設された弾性変位可能な帯板２５Ａと、該帯板２５Ａに対向して受台２ｃに突設した横揺れ防止ピン２５Ｂとを有し、帯板２５Ａの後部が後進ｂ側に向かって所定角度β（例えば１〜５°）傾斜する傾斜板部２５ａとされている。
【００３７】
前記縦揺れ防止機構２６は、図５及び図９に示すように、遮蔽板１５の後端縁に一体突設した弾性変位可能な押さえ板２６Ａを有し、該押さえ板２６Ａは後進ｂ側に向かって斜め下向きに延びてトレイ３の後端縁３ａに対向している。
【００３８】
吸振手順を説明すると、図８及び図９に示すように、トレイ３の前進状態〔図８（ａ）及び図９（ａ）参照〕から該トレイ３を最後進ｂさせると、図８（ｂ）に示すように、帯板２５Ａの傾斜板部２５ａが横揺れ防止ピン２５Ｂに接触される〔図８（ｂ）参照〕と共に、トレイ３の後端縁３ａが押さえ板２６Ａに接触される〔図９（ｂ）参照〕。
【００３９】
上記構成によれば、ディスクＤを高速回転させることにより生じた振動がトレイ３に伝達されて、該トレイ３が上下左右に振動しようとするが、このとき、トレイ３の後部下面に一体突設した弾性変位可能な帯板２５Ａの傾斜板部２５ａを横揺れ防止ピン２５Ｂに接触させているので、トレイ３の横揺れが阻止されると共に、トレイ３の後端縁３ａを遮蔽板１５に一体突設した弾性変位可能な押さえ板２６Ａに接触させているので、トレイ３の縦揺れも阻止され、これによって、トレイ３の振動を確実に吸収して、静音化に優れたディスク装置を提供することができる。
【００４０】
しかも、押さえ板２６Ａがリード線７及びケーブル１１を配線するための遮蔽板１５に一体突設されているから、その押さえ板２６Ａを追加することによって部品点数が増加せず、従来の板ばね２３（図１３参照）を用いる場合に比べて製作費を安くすることができる。
【００４１】
上記第１の実施の形態では、縦揺れ防止機構２６として１つの押さえ板２６Ａを用いたが、図１０（ａ）及び（ｂ）に示すように、その押さえ板２６Ａを所定間隔をおいて左右一対用いてもよく、これによれば、トレイ３の両側部後端縁３ａを両押さえ板２６Ａに接触させることによって、該トレイ３の縦揺れを一層確実に阻止することができる（第２の実施の形態）。
【００４２】
上記第１、第２の実施の形態では、横揺れ防止機構２５として帯板２５Ａと横揺れ防止ピン２５Ｂとを組み合わせたものを示したが、これに加えて、図１１（ａ）及び（ｂ）に示すように、ローダーシャーシ２の後端縁に一体突設されて該ローダーシャーシ２の中央部側に向けて斜め後方に延びてトレイ３の後端縁３ａに対向する弾性変位可能な横揺れ防止板２５Ｃを用いてもよく、これによれば、トレイ３の後端縁３ａを横揺れ防止板２５Ｃに接触させることによって、該トレイ３の横揺れを一層確実に阻止することができる（第３の実施の形態）。
【図面の簡単な説明】
【００４３】
【図１】本発明の第１の実施の形態であるＤＶＤ型ディスク装置を示す平面図である。
【図２】同側面図である。
【図３】同背面図である。
【図４】同斜視図である。
【図５】同分解斜視図である。
【図６】（ａ）は遮蔽板固定前の同要部の縦断面図、（ｂ）は遮蔽板固定後の同要部の縦断面図である。
【図７】（ａ）は遮蔽板固定前の同要部の横断面図、（ｂ）は遮蔽板固定後の同要部の横断面図である。
【図８】（ａ）はトレイ後進途中状態の同要部の平面図、（ｂ）はトレイ最後進状態の同要部の平面図である。
【図９】（ａ）はトレイ後進途中状態の同要部の縦断面図、（ｂ）はトレイ最後進状態の同要部の縦断面図である。
【図１０】（ａ）は本発明の第２の実施の形態であるＤＶＤ型ディスク装置を示す同要部の斜視図、（ｂ）は同要部の平面図である。
【図１１】（ａ）は本発明の第３の実施の形態であるＤＶＤ型ディスク装置を示す同要部の斜視図、（ｂ）は同要部の平面図である。
【図１２】従来例を示す概略平面図である。
【図１３】同要部の縦断面図である。
【符号の説明】
【００４４】
２              ローダーシャーシ  
２ａ            ローダーシャーシの側壁  
２ｂ            トレイ浮き上がり防止片  
２ｃ            受台  
２ｄ            ガイド部材  
３              トレイ  
４              ターンテーブル  
５              光ピックアップ  
６              制御機器用入力コネクタ  
７              リード線  
９              電源用コネクタ  
１０            制御機器用出力コネクタ  
１１            ケーブル  
１３            映像機器用コネクタ（情報処理機器用コネクタ）  
１５            遮蔽板  
１５Ａ〜１５Ｄ  脚部  
１５ａ          フック部  
１６Ａ          係止片  
１７            縦溝  
１７ａ，１７ｂ  縦溝の内側面  
１８            横溝  
２３            板ばね  
２５Ａ          帯板  
２５ａ          帯板の傾斜板部  
２５Ｂ          横揺れ防止ピン  
２５Ｃ          横揺れ防止板  
２６Ａ          押さえ板  ａ，ｂ          前後進  Ｄ              ディスク
【図１】
2005332535.tif 000003
【図２】
2005332535.tif 000004
【図３】
2005332535.tif 000005
【図４】
2005332535.tif 000006
【図５】
2005332535.tif 000007
【図６】
2005332535.tif 000008
【図７】
2005332535.tif 000009
【図８】
2005332535.tif 000010
【図９】
2005332535.tif 000011
【図１０】
2005332535.tif 000012
【図１１】
2005332535.tif 000013
【図１２】
2005332535.tif 000014
【図１３】
2005332535.tif 000015